(57)【要約】【課題】従来のデジタル放送対応の記録再生装置では、有限回コピー可能な録画番組をＡＶネットワークに出力する際に、コピー可能回数の適切な管理ができない課題があった。【解決手段】本発明の記録再生装置によれば、有限回コピー可能番組を再生したときに、その番組のＡＶデータがＡＶネットワーク上の任意の外部機器に転送されていることおよびその外部機器が記録状態にあることを検出してから所定の時間経過後に、コピー可能回数を１減じるので、著作権的に適切なコピー可能回数の管理ができるという顕著な効果を得られる。【選択図】図１
2008205554.tif 000002
【特許請求の範囲】
【請求項１】
複数の外部機器と接続されたＡＶネットワーク上でＡＶデータを転送する記録再生装置であって、
装置全体の制御を行うシステム制御部と、デジタル放送のＡＶデータを受信するＡＶデータ受信部と、該システム制御部の指示に基づき該ＡＶデータ受信部からのＡＶデータを録画番組として記録蓄積するＡＶデータ記録蓄積部と、該ＡＶネットワークへのＡＶデータの転送を行う少なくともひとつのＡＶネットワーク端子と、該ＡＶネットワーク端子のＡＶデータの転送の制御および監視を行うＡＶネットワーク制御部を含み、
該録画番組の記録情報には実質ＡＶデータ以外に該実質ＡＶデータのコピー可能回数を示すコピー可能カウンタが含まれ、
該システム制御部の指示に基づき該ＡＶデータ記録蓄積部の該録画番組を再生しているときに、該ＡＶネットワーク制御部が該ＡＶネットワーク上の任意の外部機器へ該録画番組のＡＶデータを転送していることを検出してから所定の時間が経過した時点で該録画番組の該コピー可能カウンタを１減らす処理を行うことを特徴とする記録再生装置。
【請求項２】
該ＡＶネットワーク制御部は該外部機器の記録再生状態の監視も行い、
該システム制御部の指示に基づき該ＡＶデータ記録蓄積部の該録画番組を再生しているときに、該ＡＶネットワーク制御部が該ＡＶネットワーク上の任意の外部機器へ該録画番組のＡＶデータを転送していることおよび該外部機器が該ＡＶデータを記録状態にあることを検出してから所定の時間が経過した時点で該録画番組の該コピー可能カウンタを１減らす処理を行うことを特徴とする請求項１に記載の記録再生装置。
【請求項３】
該システム制御部の指示に基づき該ＡＶデータ記録蓄積部の該コピー可能カウンタがすでに０の該録画番組を再生しているときには、該ＡＶネットワーク制御部が該ＡＶネットワーク上の任意の外部機器へ該録画番組のＡＶデータを転送していることを検出してから所定の時間が経過した時点以降の転送ＡＶデータを該ＡＶデータ記録蓄積部から消去するもしくは再生不能とする処理を行うことを特徴とする請求項１に記載の記録再生装置。
【請求項４】
該ＡＶネットワーク制御部は該外部機器の記録再生状態の監視も行い、
該システム制御部の指示に基づき該ＡＶデータ記録蓄積部の該コピー可能カウンタがすでに０の該録画番組を再生しているときには、該ＡＶネットワーク制御部が該ＡＶネットワーク上の任意の外部機器へ該録画番組のＡＶデータを転送していることおよび該外部機器が該ＡＶデータを記録状態にあることを検出してから所定の時間が経過した時点以降の転送ＡＶデータを該ＡＶデータ記録蓄積部から消去するもしくは再生不能とする処理を行うことを特徴とする請求項１に記載の記録再生装置。
【請求項５】
ＡＶネットワークにはＩＥＥＥ１３９４バスインターフェース技術を用いることを特徴とする請求項１から請求項４のいずれかに記載の記録再生装置。
【発明の詳細な説明】
【技術分野】
【０００１】
本発明は、デジタル放送のＡＶデータを記録メディアへ記録および再生する記録再生装置において、記録された番組が有限複数回コピー可能である場合に、その録画番組をＡＶネットワーク上に出力するときのコピー回数を管理する技術に関する。
【背景技術】
【０００２】
近年、デジタル放送を内蔵のハードディスクもしくはリムーバブルなディスク型メディアなどに記録再生するデジタル放送対応の記録再生装置が出現している。さらに外部の機器にＡＶネットワークを使用して、ダビングなどの目的で一旦記録した録画番組のＡＶデータを転送する機能を有したものも存在する。ＡＶネットワークとしては、例えばＩＥＥＥ１３９４バスインターフェース技術を用いたものが実用化されている。
【０００３】
さて、録画番組によってはこのような動作を行う際にコピー制御が必要になる場合がある。従来はデジタル放送の運用として録画した番組が「コピー可」および「コピー不可」となる場合が存在した。「コピー可」の番組をＡＶネットワークで転送する際には特に制限事項はない。一方「コピー不可」の番組をＡＶネットワークにダビング目的で転送する場合には、転送済みのＡＶデータを消去しながら転送するムーブ（移動）と呼ばれる動作が必要となる。
【０００４】
なお、特許文献１には、ＩＥＥＥ１３９４ネットワークを用いたデータ転送時のコピー世代情報を管理する方式が開示されている。ただし、本発明で開示するような有限回コピー可能な録画番組を転送する際のコピー回数情報の管理の仕組みについては開示されていない。
【特許文献１】特開２０００−７６７９０号公報
【発明の開示】
【発明が解決しようとする課題】
【０００５】
今後のデジタル放送の運用として、録画された番組が単純に「コピー可」（無限回）もしくは「コピー不可」となってしまう運用ではなく、録画された番組が「有限回コピー可」となるような運用が想定される。このような録画番組をＡＶネットワークで転送する場合には、当然コピー可能回数を管理する必要があるが、従来はこのような運用が想定されておらず、著作権的に適切な管理方法が開示されていなかった。
【０００６】
本発明の目的は、装置内部の非リムーバブルな記録メディアもしくはリムーバブルな記録メディアに録画された有限回コピー可能な録画番組をＡＶネットワークで転送する際に、このコピー可能回数を著作権的に適切に管理することができる記録再生装置を提供することである。
【課題を解決するための手段】
【０００７】
本発明の記録再生装置は、
複数の外部機器と接続されたＡＶネットワーク上でＡＶデータを転送する記録再生装置であって、
装置全体の制御を行うシステム制御部と、デジタル放送のＡＶデータを受信するＡＶデータ受信部と、該システム制御部の指示に基づき該ＡＶデータ受信部からのＡＶデータを録画番組として記録蓄積するＡＶデータ記録蓄積部と、該ＡＶネットワークへのＡＶデータの転送を行う少なくともひとつのＡＶネットワーク端子と、該ＡＶネットワーク端子のＡＶデータの転送の制御および監視を行うＡＶネットワーク制御部を含み、
該録画番組の記録情報には実質ＡＶデータ以外に該実質ＡＶデータのコピー可能回数を示すコピー可能カウンタが含まれ、
該システム制御部の指示に基づき該ＡＶデータ記録蓄積部の該録画番組を再生しているときに、該ＡＶネットワーク制御部が該ＡＶネットワーク上の任意の外部機器へ該録画番組のＡＶデータを転送していることを検出してから所定の時間が経過した時点で該録画番組の該コピー可能カウンタを１減らす処理を行うことを特徴とするものである。
これにより上記目的が達成される。
【発明の効果】
【０００８】
本発明の記録再生装置によれば、装置内部の非リムーバブルな記録メディアもしくはリムーバブルな記録メディアに録画された有限回コピー可能な録画番組をＡＶネットワークに転送する際に、このコピー可能回数を著作権的に適切に管理することができるという顕著な効果を得られる。
【発明を実施するための最良の形態】
【０００９】
以下、添付の図面を参照しながら、本発明による記録再生装置の実施形態を説明する。（実施の形態１）
図１は、本発明のデジタル放送対応の記録再生装置のシステム構成を示す図である。図１中の実線の矢印はＡＶデータの流れ、ブロック矢印は制御指示の流れを示す。１は、記録再生装置そのもの、１１は放送のＡＶデータを受信選別するＡＶデータ受信部、１２はＡＶデータを記録蓄積および再生するＡＶデータ記録蓄積部、１３は記録再生装置１のシステム動作を統括するシステム制御部、１４はＡＶネットワーク上のデータの流れを制御および監視するＡＶネットワーク制御部、１５は放送を受信するためのアンテナ、１６はＡＶネットワークとＡＶデータをやりとりするためのＡＶネットワーク端子、２はＡＶネットワークにより記録再生装置１と接続された外部機器Ａ、２１および２２は外部機器Ａ２のＡＶネットワーク端子、３はＡＶネットワークにより記録再生装置１と接続された外部機器Ｂ、３１および３２は外部機器Ｂ３のＡＶネットワーク端子である。
【００１０】
なお、ＡＶデータ記録蓄積部１２としては、より具体的には記録再生装置１内の非リムーバブルなハードディスクや光ディスクなどのリムーバブルメディアが該当する。また、この実施例ではデジタル放送をアンテナ１５により受信する形態を示しているが、これ以外にもケーブルテレビ経由にて受信する形態も想定され、受信の形態には左右されない。
【００１１】
まず、デジタル放送を受信して、そのＡＶデータを記録する処理について、図１および図２を参照しながら説明する。ＡＶネットワークとしてはこの実施例ではＩＥＥＥ１３９４バスインターフェース技術を用いたものを想定する。アンテナ１５により受信されたデジタル放送のＡＶデータはＡＶデータ受信部１１に送られる。デジタル放送の元ＡＶデータには複数の番組のＡＶデータが混在している。ＡＶデータ受信部１１はシステム制御部１３の指示に基づき必要な番組のＡＶデータのみを抽出してＡＶデータ記録蓄積部１２に送る。ＡＶデータ記録蓄積部１２はシステム制御部１３の指示に基づき送られてきたＡＶデータを１回の記録開始から停止までをひとつの録画番組として記録蓄積する。図２にＡＶデータ記録蓄積部１２でのデータ記録の論理構造を示す。ひとつの録画番組につき実質のＡＶデータと同時にそのＡＶデータを最初の記録以降何回までコピー可能かを示す「コピー可能カウンタ」を関連付けて記録する。このコピー可能カウンタの初期値は、チャンネルごとあるいは番組ごとに放送波中の付属データとして送られてきたものに基づき設定されるかあるいは放送運用の取り決めによって設定される。
【００１２】
つぎに、ＩＥＥＥ１３９４ネットワークを用いて外部機器に、ダビング時に一旦ＡＶデータ記録蓄積部１２にて記録された録画番組を転送する処理について図１および図３を参照しながら説明する。システム制御部１３はユーザーからのダビングの詳細指示を受けるためのＧＵＩを表示する（このＧＵＩを表示する作法については本発明の内容とは直接関係ないので図示および説明を省略する）。表示されるＧＵＩの一例を図３に示す。ＡＶデータ記録蓄積部１２に記録されたダビング対象の録画番組が一覧表示される。このとき番組名と同時に残りのコピー可能を表示する。またダビング先の対象機器を一覧表示する。ダビング対象の外部機器の認識はＩＥＥＥ１３９４のＡＶ／Ｃコマンド等を使用して実施する。ユーザーはこのＧＵＩ画面を介してダビング対象の録画番組およびダビング先の外部機器を選択決定する。ここでは録画番組として「録画番組１」が、ダビング先として「外部機器Ａ」が選択決定されたものとして以降の処理を説明する。
【００１３】
ユーザーの指示を受けたシステム制御部１３は、ＡＶネットワーク制御部１４にダビング先が外部機器Ａ２であることを伝達する。指示を受けたＡＶネットワーク制御部１４は自装置１と外部機器Ａ２との間に１３９４接続を形成する。より詳細にはＩＥＥＥ１３９４ネットワーク上でのデータ転送のための帯域確保などの処理を行う。つぎに外部機器Ａ２に対してＩＥＥＥ１３９４のＡＶ／ＣコマンドによりＡＶネットワーク端子２２からのＡＶデータを入力して記録する旨の指示を行う。つぎにシステム制御部１３はＡＶデータ記録蓄積部１２に対して「録画番組１」を再生しＡＶデータをＡＶネットワーク制御部１４に送るように指示する。データを受けたＡＶネットワーク制御部１４は、ＡＶネットワーク端子１６を介して、そのデータを外部機器Ａ２に転送を開始する。転送データを受けた外部機器Ａ２はすでに記録状態となっているので、そのデータの記録を行う。以上の動作により「録画番組１」の外部機器Ａ２へのダビング動作が開始される。
【００１４】
ＡＶデータ記録蓄積部１２は「録画番組１」のＡＶデータを送り終わると再生を停止する。再生の停止を検知したシステム制御部１３はダビングの終了をＡＶネットワーク制御部１４に指示する。指示を受けたＡＶネットワーク制御部１４は外部機器Ａ２に対してＩＥＥＥ１３９４のＡＶ／Ｃコマンドにより記録の停止を指示する。また自装置と外部機器Ａ２との間の１３９４接続を切断する。以上の動作により「録画番組１」の外部機器Ａ２へのダビング動作が完了される。
【００１５】
つぎに、ダビング処理を行う際の録画番組に付随するコピー可能カウンタの制御処理について説明する。ダビングを実施する場合は、上述のように外部機器において録画番組のコピーが行われるので、ダビングを実施するごとにコピー可能カウンタを１ずつ減らしていく必要がある。このカウンタを１減らすことを確定するタイミングであるが、録画番組のＡＶデータをＩＥＥＥ１３９４ネットワークに出力し始めてから、すみやかに行うことが著作権的に求められる。なぜなら例えばひとつの録画番組のダビングが終了してからコピー可能カウンタを減らす処理を実施した場合、ダビングの途中でユーザーが故意にＩＥＥＥ１３９４のケーブルをはずしてダビングが中断した場合、相手機器にそれまでのＡＶデータが流れて記録されているにもかかわらず、コピー可能カウンタがもとのままになってしまうという状況が発生し、これを悪用すると録画番組の前半部分が何度でもコピー可能となってしまうからである。ただし「すみやかに」といいつつも即座に減算処理を確定してしまうと、単純なユーザー操作ミスまたは一時的な各装置の動作不調などで、ダビングが数秒で中断してしまった場合もコピー可能カウンタが−１されてしまうことになり不都合である。よって多少のマージンをみて、所定の時間（例えば１０〜２０秒程度）を経過してから減算を確定する処理を実施するのが望ましい。
【００１６】
より具体的には以下の動作となる。ＡＶネットワーク制御部１４はＩＥＥＥ１３９４ネットワーク上での１３９４接続状態、データ転送状態および外部機器の記録再生状態
を常時監視している。この監視はＩＥＥＥ１３９４のＡＶ／Ｃコマンド等を用いて実施が可能である。そしてＡＶネットワーク制御部１４は「自装置といずれかの外部機器との間に１３９４接続が発生しその機器へＡＶデータの転送をしていること」かつ「その機器がそのＡＶデータを記録していること」を検出してから所定の時間が経過するとコピー可能カウンタ減算条件成立をシステム制御部１３に通知する。通知を受けたシステム制御部１３はＡＶデータ蓄積部１２に対して現在再生中の録画番組のコピー可能カウンタを−１するよう指示する。
【００１７】
つぎに、特殊な事例としてコピー可能カウンタがすでに０の録画番組をダビングする場合の処理について説明する。例えば図３において「録画番組４」がダビング対象として選択決定された場合がこれに当たる。コピー可能カウンタが０なので外部機器に単純にコピーすることはできない。ただし、もとの録画番組を消去しながら相手機器に記録することは著作権的にも許容される動作と想定される。
【００１８】
より具体的には以下の動作となる。ＡＶネットワーク制御部１４はＩＥＥＥ１３９４ネットワーク上での１３９４接続状態およびデータ転送状態および外部機器の記録再生状態
を常時監視している。この監視はＩＥＥＥ１３９４のＡＶ／Ｃコマンド等を用いて実施が可能である。そしてＡＶネットワーク制御部１４は「自装置といずれかの外部機器との間に１３９４接続が発生しその機器へＡＶデータの転送をしていること」かつ「その機器がそのＡＶデータを記録していること」を検出してから所定の時間が経過するとコピー可能カウンタ減算条件成立をシステム制御部１３に通知する。通知を受けたシステム制御部１３はＡＶデータ蓄積部１２に対してこれ以降の転送済みＡＶデータを消去していくよう指示する。なお「消去」とは厳密なデータ消去でなくてもよく、メディア上で転送済みＡＶデータを再生不能とすることでも構わない。
【００１９】
なお以上では「その機器がそのＡＶデータを記録していること」を条件に入れているが、相手機器によってはＩＥＥＥ１３９４のＡＶ／Ｃコマンドでその機器の記録再生状態を確認できない場合がある。その場合には「自装置といずれかの外部機器との間に１３９４接続が発生しその機器へＡＶデータの転送をしていること」のみをもって条件成立としてもかまわない。
【００２０】
また以上では１３９４接続は自装置１から形成される場合の動作を記述したが、１３９４接続が外部機器から形成され、外部機器の操作により自装置１から外部機器への転送ＡＶデータの記録が開始されることもありえる。その場合でも上記のＡＶネットワーク制御部１４によるコピー可能カウンタ減算条件成立の監視処理にもとづき録画番組のコピー可能カウンタの減算処理を実施する。すなわち、結果的にコピー可能カウンタ減算条件が成立することが第一義であり、その条件が自装置の動作により成立したのか、外部機器の動作により成立したのかは問わない。
【００２１】
また以上ではダビング動作を例にしてＡＶデータ記録蓄積部１２の録画番組をＩＥＥＥ１３９４ネットワークに転送する場合を説明したが、ダビングにかかわらずその他の動作（例えば通常再生など）でもＡＶデータ記録蓄積部１２の録画番組をＩＥＥＥ１３９４ネットワークに転送する場合はありえる。その場合でも上記のＡＶネットワーク制御部１４によるコピー可能カウンタ減算条件成立の監視処理にもとづき録画番組のコピー可能カウンタの減算処理を実施する。
【００２２】
なお以上の説明では、ＡＶネットワークとしてはＩＥＥＥ１３９４バスインターフェース技術を用いたものを想定したが、これに限定されるものではなく同等の機能をもつＡＶネットワークであれば、同様に適用できる。
【００２３】
また、ＡＶネットワーク上にデータを転送する場合の転送速度については記録時と同じ時間をかけるリアルタイム転送の場合でも、高速転送の場合でも同様に適用できる。
【産業上の利用可能性】
【００２４】
本発明にかかる記録再生装置は、ネットワークを介して外部機器に、内部の非リムーバブルな記録メディアもしくはリムーバブルな記録メディアに蓄積されたコピー回数の制限されたデータを転送する機能を持つ装置であって、そのコピー回数を管理することが必要な用途にも適用できる。
【図面の簡単な説明】
【００２５】
【図１】本発明のデジタル放送対応の記録再生装置のシステム構成を示す図
【図２】本発明の記録再生装置のＡＶデータ記録蓄積部におけるデータ記録の論理構造を示す図
【図３】本発明の記録再生装置の外部機器へのダビングを指示するためのＧＵＩを示す図
【符号の説明】
【００２６】
１    記録再生装置
１１    ＡＶデータ受信部
１２    ＡＶデータ記録蓄積部
１３    システム制御部
１４    ＡＶネットワーク制御部
１５    アンテナ
１６    ＡＶネットワーク端子
２    外部機器Ａ
２１    ＡＶネットワーク端子
２２    ＡＶネットワーク端子
３    外部機器Ｂ
３１    ＡＶネットワーク端子
３２    ＡＶネットワーク端子
【図１】
2008205554.tif 000003
【図２】
2008205554.tif 000004
【図３】
2008205554.tif 000005